(57)【特許請求の範囲】
【請求項１】
ＡＣ電源の供給を受ける装置に対して供給すべきＡＣ電源のＯＮ状態とＯＦＦ状態とを切り換える第一の切り換え手段と、
当該第一の切り換え手段の前からのＡＣ電源供給経路と後からのＡＣ電源供給経路とを切り換える第二の切り換え手段と、
前記第二の切り換え手段の出力を受ける制御電源により駆動され、少なくとも前記装置が第１の所定時間使用されない場合に前記第一の切り換え手段をＯＮ状態からＯＦＦ状態に切り換えること、および前記第二の切り換え手段の駆動制御することを含み、前記装置に供給する電源のシャットオフ動作を実行する制御手段と、
前記第一の切り換え手段のＯＮ状態又はＯＦＦ状態を検出する状態検出手段と、
前記第二の切り換え手段の状態を記憶する記憶する記憶手段と、
を備え、
前記制御手段は、前記状態検出手段により前記第一の切り換え手段がＯＮ状態になったことを検出した後に前記第二の切り換え手段を前記前からのＡＣ電源供給経路に切り換え、前記状態検出手段により前記第一の切り換え手段がＯＦＦ状態になったことを検出した後第２の所定時間経過したことに基づいて、前記第二の切り換え手段を前記後からのＡＣ電源供給経路に切り換えるものであり、
前記第二の切り換え手段を前記後からのＡＣ電源供給経路に切り換えた後、第３の所定時間内に前記制御手段に供給される電源が遮断されない場合に、前記第二の切り換え手段が故障していると判断する第１の故障検知機能と、
前記第一の切り換え手段がＯＮ状態となりＡＣ電源が供給されたとき、前記記憶手段に記憶されている内容が前記後からのＡＣ電源供給経路を示し、前記状態検出手段がＯＦＦ状態を検知した場合に、前記状態検出手段が故障していると判断する第２の故障検知機能と、
前記装置が前記第１の所定時間使用されないことに応じて前記第一の切り換え手段をＯＦＦ状態にして、前記状態検出手段がＯＮ状態を検出した場合に、前記第二の切り換え手段を前記後からのＡＣ供給経路に切り換え、その後第４の所定時間経過後に前記制御手段に供給される電源が落ちない場合に、前記第一の切り換え手段が故障していると判断する第３の故障検知機能と、
を有することを特徴とする電源遮断装置。
【請求項２】
前記第一の切り換え手段がＯＮ状態になりＡＣ電源が供給されたとき、前記記憶手段を読み出し、読み出した内容が前記第二の切り換え手段が前記後からのＡＣ電源供給経路を示していないとき、前記第二の切り換え手段が故障していると判断する第４の故障検知機能を有することを特徴とする請求項１に記載の電源遮断装置。
【請求項３】
前記記憶手段は前記第二の切り換え手段の故障情報を記録可能であり、前記制御手段は、前記状態検出手段が前記第一の切り換え手段のＯＦＦ状態を検出したときに前記第二の切り換え手段の故障情報を記憶し、前記第二の切り換え手段が前記後からのＡＣ電源供給経路に切り換えられたときに、前記第二の切り換え手段の故障情報を消去することを特徴とする請求項２に記載の電源遮断装置。
【請求項４】
前記制御手段は、前記第一の切り換え手段がＯＮ状態となり、ＡＣ電源が供給されたときに前記第二の切り換え手段の故障情報が記録されている場合に、前記第二の切り換え手段が故障していると判断する第４の故障検知機能を有することを特徴とする請求項３に記載の電源遮断装置。
【請求項５】
前記制御手段は、前記第一の切り換え手段がＯＮ状態となりＡＣ電源が供給されたとき、前記記憶手段に記憶されている内容が前記後からのＡＣ電源供給経路を示し、前記状態検出手段がＯＦＦ状態を検知した場合に、前記状態検出手段が故障していると判断する第５の故障検知機能を有することを特徴とする請求項１に記載の電源遮断装置。
【請求項６】
前記記憶手段は前記状態検出手段の故障情報を記録可能であり、前記制御手段は、前記切り換え信号を発生させて前記第一の切り換え手段をＯＦＦ状態にして、前記状態検出手段がＯＮ状態を検知した場合に、前記第二の切り換え手段を前記後からのＡＣ電源供給経路に切り換え、前記記憶手段に前記状態検出手段の故障の情報を記録し、その後前記第４の所定時間後に、前記制御手段に供給される電源が落ちない場合に前記記憶手段に記憶された前記状態検出手段の故障の情報を消去することを特徴とする請求項１に記載の電源遮断装置。
【請求項７】
請求項１から６のいずれかに記載の電源遮断装置を備えたことを特徴とする画像形成装置。
【発明の詳細な説明】
【０００１】
【産業上の利用分野】
本発明は画像形成装置の省エネルギー化に関し、特に画像形成装置の電源の遮断に関する。
【０００２】
【従来の技術】
従来、画像形成装置の省エネルギー化のために、電源の遮断方法としてオートシャットオフがおこなわれていた。図２は従来例を示す図で、メインスイッチ１００１は制御回路１００４によって遮断される。
【０００３】
【発明が解決しようとする課題】
しかしながら装置が大型となり消費電力が大きくなるとメインスイッチＯＦＦ後も、徐々に機内冷却する必要がある。このため従来は、機内冷却に必要な電源は遮断されなかった。
本発明は、このような問題に鑑みてなされたもので、その目的とするところは、装置が大型で消費電力が大きく、メインスイッチＯＦＦ後に機内冷却が必要な装置においても、さらに省エネルギー化することができる電源遮断装置を提供することにある。
【０００４】
【課題を解決するための手段】
上記目的を達成するために、請求項１の発明は、電源遮断装置であって、ＡＣ電源の供給を受ける装置に対して供給すべきＡＣ電源のＯＮ状態とＯＦＦ状態とを切り換える第一の切り換え手段と、当該第一の切り換え手段の前からのＡＣ電源供給経路と後からのＡＣ電源供給経路とを切り換える第二の切り換え手段と、前記第二の切り換え手段の出力を受ける制御電源により駆動され、少なくとも前記装置が第１の所定時間使用されない場合に前記第一の切り換え手段をＯＮ状態からＯＦＦ状態に切り換えること、および前記第二の切り換え手段の駆動制御することを含み、前記装置に供給する電源のシャットオフ動作を実行する制御手段と、前記第一の切り換え手段のＯＮ状態又はＯＦＦ状態を検出する状態検出手段と、前記第二の切り換え手段の状態を記憶する記憶する記憶手段と、を備え、前記制御手段は、前記状態検出手段により前記第一の切り換え手段がＯＮ状態になったことを検出した後に前記第二の切り換え手段を前記前からのＡＣ電源供給経路に切り換え、前記状態検出手段により前記第一の切り換え手段がＯＦＦ状態になったことを検出した後第２の所定時間経過したことに基づいて、前記第二の切り換え手段を前記後からのＡＣ電源供給経路に切り換えるものであり、前記第二の切り換え手段を前記後からのＡＣ電源供給経路に切り換えた後、第３の所定時間内に前記制御手段に供給される電源が遮断されない場合に、前記第二の切り換え手段が故障していると判断する第１の故障検知機能と、前記第一の切り換え手段がＯＮ状態となりＡＣ電源が供給されたとき、前記記憶手段に記憶されている内容が前記後からのＡＣ電源供給経路を示し、前記状態検出手段がＯＦＦ状態を検知した場合に、前記状態検出手段が故障していると判断する第２の故障検知機能と、前記装置が前記第１の所定時間使用されないことに応じて前記第一の切り換え手段をＯＦＦ状態にして、前記状態検出手段がＯＮ状態を検出した場合に、前記第二の切り換え手段を前記後からのＡＣ供給経路に切り換え、その後第４の所定時間経過後に前記制御手段に供給される電源が落ちない場合に、前記第一の切り換え手段が故障していると判断する第３の故障検知機能と、を有することを特徴とする。
【００１２】
請求項２の発明は、請求項１に記載の電源遮断装置において、前記第一の切り換え手段がＯＮ状態になりＡＣ電源が供給されたとき、前記記憶手段を読み出し、読み出した内容が前記第二の切り換え手段が前記後からのＡＣ電源供給経路を示していないとき、前記第二の切り換え手段が故障していると判断する第４の故障検知機能を有することを特徴とする。
【００１３】
請求項３の発明は、請求項２に記載の電源遮断装置において。前記記憶手段は前記第二の切り換え手段の故障情報を記録可能であり、前記制御手段は、前記状態検出手段が前記第一の切り換え手段のＯＦＦ状態を検出したときに前記第二の切り換え手段の故障情報を記憶し、前記第二の切り換え手段が前記後からのＡＣ電源供給経路に切り換えられたときに、前記第二の切り換え手段の故障情報を消去することを特徴とする。
【００１４】
請求項４の発明は、請求項３に記載の電源遮断装置において、前記制御手段は、前記第一の切り換え手段がＯＮ状態となり、ＡＣ電源が供給されたときに前記第二の切り換え手段の故障情報が記録されている場合に、前記第二の切り換え手段が故障していると判断する第４の故障検知機能を有することを特徴とする。
【００１５】
請求項５に記載の発明は、請求項１記載の電源遮断装置において、前記制御手段は、前記第一の切り換え手段がＯＮ状態となりＡＣ電源が供給されたとき、前記記憶手段に記憶されている内容が前記後からのＡＣ電源供給経路を示し、前記状態検出手段がＯＦＦ状態を検知した場合に、前記状態検出手段が故障していると判断する第５の故障検知機能を有することを特徴とする。
【００１８】
請求項６に記載の発明は、請求項１に記載の電源遮断装置において、前記記憶手段は前記状態検出手段の故障情報を記録可能であり、前記制御手段は、前記切り換え信号を発生させて前記第一の切り換え手段をＯＦＦ状態にして、前記状態検出手段がＯＮ状態を検知した場合に、前記第二の切り換え手段を前記後からのＡＣ電源供給経路に切り換え、前記記憶手段に前記状態検出手段の故障の情報を記録し、その後前記第４の所定時間後に、前記制御手段に供給される電源が落ちない場合に前記記憶手段に記憶された前記状態検出手段の故障の情報を消去することを特徴とする。
【００２５】
請求項７に記載の発明は、画像形成装置であって、請求項１から６のいずれかに記載の電源遮断装置を備えたことを特徴とする。
【００２６】
【作用】
本発明によればＡＣ電源をＯＮ，ＯＦＦする第１の切り換え手段と、第１の切り換え手段と、第１の切り換え手段の前後からＡＣ供給を切り換える第２の切り換え手段とを有するので、装置が大型で消費電力が大きく、メインスイッチＯＦＦ後に機内冷却が必要な装置においても、さらに省エネルギー化することができる。
【００２７】
さらにはＦＡＸ機能が付加された装置においても、メインスイッチＯＦＦ後、ＦＡＸ受信待機のため必要な電源を所定時間ＯＮに保つと共に、所定時間経過後に電源遮断することが可能となり、省エネルギー化を図ることができる。
【００２８】
上記構成によると、第２の切り換え手段がメインスイッチの前側にＡＣを切り換える経路に張り付いてしまった場合に、全ての電源供給を遮断することができず、期待された省エネルギーの効果を得ることができない。また、第２の切り換え手段がメインスイッチの後ろ側に張り付いてしまった場合に、メインスイッチと同期して全てのＡＣ供給がオフされてしまい、装置に必要な機内冷却等の処理ができない。しかもこれらの故障に関しては、省エネルギーの動作もしくは装置の立ち下げに必要な処理がなされない以外は、通常の動作に異常をきたさないため使用者が故障に気づかない場合が多いと考えられる。
【００２９】
しかし本発明によればＡＣ電源供給経路の第二の切り換え手段の故障検知手段を設けることにより、故障の検知を確実に行うことができる。
【００３０】
【実施例】
以下に図面を参照して本発明の実施例を説明する。
【００３１】
（各実施例に共通の構成）
図３は本発明の画像形成装置の一例を示す断面構成図である。
【００３２】
図３において、１００は複写装置本体、２００は原稿の自動給送を行う循環式自動原稿送り装置即ちフィーダー（ＲＤＦ）、２５０は仕分け装置即ちソータであり、これらＲＤＦ２００とソータ２５０は本体１００に対して自在に組合わせて使用できる。
【００３３】
図３において、１０１は原稿載置台としての原稿台ガラスである。また、１０２は画像読取り手段としての光学系であり、原稿照明ランプ（露光ランプ）１０３と、走査ミラーと、レンズ１４３と、モータ１０４等から構成されており、モータ１０４により走査しつつ露光ランプ１０３で原稿を照明し、原稿からの反射光を走査ミラーとレンズにより感光体ドラム１０５に照射する。
【００３４】
前記感光体ドラム１０５の回りには、１次帯電器１０６と、ブランク露光ユニット１０７と、電位センサ１０８と、現像器１０９と転写帯電器１１０と、分離帯電器１１１と、クリーニング装置１１２とが装備されていて、これら感光体ドラム１０５等により画像記録手段が構成されている。
【００３５】
感光体ドラム１０５はメインモータ１１３により図３に示す矢印の方向に回転するもので、１次帯電器１０６によりコロナ帯電されており、光学系１０２から原稿の反射光が照射されると、静電潜像が形成される。この静電潜像は、現像器１０９により現像されてトナー像として可視化される。一方、上段カセット１１４あるいは下段カセット１１５からピックアップローラ１１６，１１７を介し、給紙ローラ１１８，１１９により本体１００内に送られた転写紙が、レジストローラ１２０によりトナー像の先端と転写紙の先端とが一致するようにタイミングがとられた後、感光体ドラム１０５に給送され、転写帯電器１１０によりトナー像が転写される。この転写後、転写紙は分離帯電器１１１により感光体ドラム１０６から分離され、転写ベルト１２１により定着器１２２に導かれて加圧、加熱により定着され、この後排出ローラ１２３により本体１００の外に排出される。また、感光体ドラム１０５はクリーニング装置１１２により、その表面が清掃される。
【００３６】
また、本体１００には、例えば４０００枚の転写紙を収納し得るデッキ１２４が装備されている。デッキ１２４のリフタ１２５は、給紙ローラ１２６に転写紙が常に当接するように転写紙の量に応じて上昇する。また、図３において、１２７は排紙フラッパであり、両面記録側ないし多重記録側と排出側（ソータ２５０）の経路を切り換える。排出ローラ１２３から送り出された転写紙は、この排紙フラッパ１２７により両面記録側ないし多重記録側に切り換えられる。また、１２８は下搬送パスであり、排出ローラ１２３から送り出された転写紙を反転パス１２９を介し転写紙を裏返して再給紙トレイ１３０に導く。また、１３１は両面記録と多重記録の経路を切り換える多重フラッパであり、これを左方向に倒すことにより転写紙を反転パス１２９に介さず、直接下搬送パス１２８に導く。１３２は、経路１３３を通じて転写紙を感光体ドラム１０５側に給紙する給紙ローラである。１３４は、排紙フラッパ１２７の近傍に配置されて、該排紙フラッパ１２７により排出側に切り換えられた転写紙を機外に排出する排出ローラである。
【００３７】
両面記録（両面複写）や多重記録（多重複写）時には、排紙フラッパ１２７を上方に上げて、複写済みの転写紙を搬送パス１２８，１２９を介して裏返した状態で再給紙トレイ１３０に格納する。このとき、両面記録時には多重フラッパ１３１を右方向へ倒し、また多重記録時には該多重フラッパ１３１を左方向へ倒しておく。次に行う裏面記録時や多重記録時には、再給紙トレイ１３０に格納されている転写紙が、下から１枚づつ給紙ローラ１３２により経路１３３を介して本体のレジストローラ１２０に導かれる。本体から転写紙を反転して排出する時には、排紙フラッパ１２７を上方へ上げ、フラッパ１３１を右方向へ倒し、複写済みの転写紙を搬送パス１２９側へ搬送し、転写紙の後端が第１の送りローラ１４０を通過した後に反転ローラ１４２によって第２の送りローラ側へ搬送し、排出ローラ１３４によって、転写紙を裏返して機外へ排出する。
【００３８】
図４は本発明の画像形成装置の制御系の一例を示すブロック図である。本図において、１００４は制御回路（コントローラ）で、ＣＰＵ１００４ａ、ＲＯＭ１００４ｂ、ＲＡＭ１００４ｃ等から構成され、ＲＯＭ１００４ｂに格納されたプログラムに基づいて複写シーケンスを総轄制御する。
【００３９】
操作部６００には、コピーモード（片面・両面・多重モード、複写倍率、カセット選択等）設定キー、複写枚数等を設定するテンキー、複写動作開始を指示するスタートキー、複写動作停止を指示するストップキー、動作モードを標準状態に復帰するリセットキー、等のキー入力部、及び、動作モードの設定状態等を表示するＬＥＤ・液晶等の表示部が配置されている。
【００４０】
サーミスタ３０２は、定着ローラ１４４の表面温度を検出し、３０１でＡ／Ｄ変換された値がコントローラ１００４に入力される。コントローラ１００４は、サーミスタ３０２の検出値により、定着ローラ１４４の表面温度が所定値になるように制御している。
【００４１】
高圧制御部３０３は、１次帯電器１０６、転写帯電器１１０等の帯電系、及び、現像器１０９等に所定の電位を印加する高圧ユニット３０４の制御を行う。
【００４２】
モータ制御部３０５は、各種ステッピングモータやメイン駆動モータ等のモータ３０６の駆動を制御する。
【００４３】
ＤＣ負荷制御部３０７は、ピックアップローラ１１６用等のソレノイド、レジストローラ１２０用等のクラッチ、及び、ファン等の駆動を制御する。
【００４４】
３０８は、転写紙の紙づまり検知用等のセンサー類で、コントローラ１００４に入力される。
【００４５】
ＡＣドライバー１０００は、原稿照明ランプ１０３等のＡＣ負荷３１０、及び、定着ヒータ３１１へのＡＣ電源供給を制御する。また、原稿照明ランプ１０３、定着ヒータ３１１等の異常を検出し、シャットオフ機能付きのメインスイッチ１００１をオフ状態にする。さらに、コントローラ１００４の制御により、メインスイッチ１００１前後のＡＣ入力が切り換えられて電源１１００に入力される。
【００４６】
電源１１００は、コントローラ１００４等にＤＣ電源を供給し、ＡＣドライバー１０００からのＡＣ電源が入力されると共に、入力電源プラグ３１１から、メインスイッチ１００１、ドアスイッチ１００７を介したＡＣ電源が電源１１００に入力される。
【００４７】
ペーパーデッキ１２４は、転写紙の積載枚数を増やすための給紙装置、フィーダー２００は、複数枚の原稿を自動的にセットするための自動原稿送り装置、ソータ２５０は、排出される転写紙を仕分けるための仕分け装置である。
【００４８】
図５は操作部６００の配置構成例を示す。
【００４９】
図５において、６０１はアスタリスク（＊）キーであり、綴じ代量の設定とか、原稿枠消しのサイズ設定等の設定モードのときに用いる。６２７はカーソルキーであり、設定モード時の設定項目を選択するときに用いる。６２８はＯＫキーであり、設定モード時の設定内容を確定するときに用いる。６０６はオールリセットキーであり、標準モードに戻すときに押す。また、オートシャットオフ状態から標準モードに復帰させるときにもこのキー６０２を押す。６０５は複写開始キー（コピースタートキー）であり、複写を開始するときに押す。
【００５０】
６０４はクリア／ストップキーであり、待機（スタンバイ）中はクリアキー、複写記録中はストップキーの機能を有する。このクリアキーは、設定した複写枚数を解除するときにも使用する。また、ストップキーは連続複写を中断するときに押す。この押した時点での複写が終了した後に、複写動作が停止する。６０３はテンキーであり、複写枚数を設定するときに押す。また＊（アスタリスク）モードを設定するときにも使う。６１９はメモリキーであり、使用者が頻繁に使うモードを登録しておくことができる。ここでは、Ｍ１〜Ｍ４の４通りのモードの登録ができる。
【００５１】
６１１及び６１２は複写濃度キーであり、複写濃度を手動で調節するときに押す。６１３はＡＥキーであり、原稿の濃度に応じて、複写濃度を自動的に調節するとき、またはＡＥ（自動濃度調節）を解除して濃度調節をマニュアル（手動）に切り換えるときに押す。６０７はコピー用紙選択キーであり、上段ペーパリフタ１１９、下段ペーパリフタ１１５、ペーパデッキ１２４、マルチ手差し１５０を選択するときに押す。また、ＲＤＦ３００に原稿が載っているときには、このキー６０７によりＡＰＳ（自動紙カセット選択）が選択できる。ＡＰＳが選択されたときには、原稿と同じ大きさのカセットが自動選択される。
【００５２】
６１０は等倍キーであり、等倍（原寸）の複写をとるときに押す。６１６はオート変倍キーであり、指定した複写紙のサイズに合わせて原稿の画像を自動的に縮小・拡大を指定するときに押す。６２６は両面キーであり、片面原稿から両面複写、両面原稿から両面複写、または両面原稿から片面複写をとるときに押す。６２５は綴じ代キーであり、転写紙の左側へ指定された長さの綴じ代を作成することができる。６２４は写真キーであり、写真原稿を複写するときに押す。６２３は多重キーであり、２つの原稿から転写紙の同じ面に画像を作成（合成）するときに押す。
【００５３】
６２０は原稿枠消しキーであり、使用者が定形サイズ原稿の枠消しを行うときに押し、その際に原稿のサイズはアスタリスクキー６０１で設定する。６２１はシート枠消しキーであり、コピー用紙サイズに合わせて原稿の枠消しをするときに押す。６２９は表紙モード設定キーであり、表紙、裏表紙の作成、および合紙を挿入するときに用いる。６３０はページ連写キーであり、見開きの本の左右を続けて複写するときに用いる。６１４はステイプルソート、ソート、グループの排紙方法を選択する排紙方法選択キーであり、記録後の用紙をステイプルソータが接続されている場合は、ステイプルソートモード、ソートモード、グループモードの選択またはその選択モードの解除ができる。
【００５４】
６３１は予約キーであり、予約トレイ２１０に載置された予約原稿に対する複写モードの設定を開始するとき、および予約設定を解除するときに用いる。６３２は予約設定キーであり、予約モード設定時の確定キーとして用いる。６３３はガイドキーであり、各種キーに対応する機能の説明を、メッセージディスプレイに表示するときに用いる。７０１は複写に関する情報を表示するＬＣＤ（液晶）タイプのメッセージディスプレイであり、９６×１９２ドットで文字や図形を表示する。たとえば、テンキー６０３で設定した複写枚数、定形変倍キー６０８，６０９、等倍キー６１０、ズームキー６１７，６１８で設定した複写倍率、用紙選択キー６０７で選択した用紙サイズ、複写装置本体１００の状態を示すメッセージ、操作手順を示すガイドメッセージ、その他各種モードの設定内容を表示する。
【００５５】
７０４はＡＦ表示器であり、ＡＥキー６１３によりＡＥ（自動濃度調節）を選択したときに点灯する。７０９は予熱表示器であり、予熱状態の時に点灯する。なお、標準モードでＲＤＦ２００を使用している時では複写枚数１枚、濃度ＡＥモード、オート用紙選択、等倍、片面原稿から片面複写の設定になる。ＲＤＦ２００を未使用時の標準モードでは複写枚数１枚、濃度マニュアルモード、等倍、片面原稿から片面複写の設定となっている。ＲＤＦ２００の使用時と未使用時の差はＲＤＦ２００に原稿がセットされているか否かで決まる。
【００５６】
（実施例１）
図１は本発明の電源部の構成を示し、図中１００１はＡＣ電源をＯＮ，ＯＦＦする第１の切り換え手段であるところのメインＳＷ、１００２はメインＳＷの前後のＡＣ供給を切り換える第２の切り換え手段であるところのリレー、１００３はメインＳＷの状態を検出し、検出した状態に応じて検出信号を発生する電圧検知部である。本実施例では電圧検知部１００３により第１の切り換え手段の切り換え状態を検出している。１００４は、メインＳＷ１００１の状態に応じてリレー１００２の切り換えを制御するコントロール回路である。１１００は電源で、大きくは２系統ある。１００５は制御回路１００４などの制御系を駆動させる５Ｖ系とクラッチ・ソレノイドなどを駆動する２４ＶＵ系の電源、１００６は精度が必要なアナログ信号用の２４ＶＲと、メインモータや光学モータ用の３８ＶＵ系の電源である。１００７はドアスイッチである。
【００５７】
ＳＷ１００１がＯＮされる前は、リレー１００２はＳＷ１００１の後側（図１におけるＳＷ１００１の右側）のＡＣラインと電源回路１００５を接続するよう切り換えられている。この経路をＡ経路と呼ぶ。ＳＷ１００１がＯＮされると、ＡＣ電源は電源回路１００５に供給され、電圧検出回路１００３はＳＷ１００１がＯＮされたことを示す信号を制御部１００４に出力する。制御部１００４は、電源が供給されると電源部の制御動作を開始する。
【００５８】
図６のフローチャートに沿って電源部の制御動作を説明する。制御部１００４では動作が開始されると、まず、Ａ経路を維持しておくためにリレー１００２への通電を遮断しておく（Ｓ２００１）。リセット時などの不定時の影響を早くなくすために、動作開始と同時にＳＷ１００２を切り換える。次に、ＳＷ１００１がＯＮされていることを確認する（Ｓ２００２）。ＳＷ１００１がＯＮされていないときは、電圧検知部１００３もしくはＳＷ１００１の故障としてエラー処理を行う（Ｓ２０１１）。ＳＥ１００１がＯＮされていたときは、ＳＷ１００１の前側（図１におけるＳＷ１００１の左側）のＡＣラインから電源回路１００５へ電源を供給するようにリレー１００２を切り換える（Ｓ２００３）。以下、この経路をＢ経路と呼ぶ。次に、システムの動作確認やシステムを安定させるための処理などを含むシステムの初期化を行う（Ｓ２００４）。初期化を終えると（Ｓ２００５）、通常の動作モードに入り、システム処理を行う（Ｓ２００６）。システム処理（通常の動作）（Ｓ２００６）は、ＳＷ１００１がＯＦＦされるまで続けられる。ＳＷ１００１がＯＦＦされるとシステムの終了のための処理を行い（Ｓ２００８）、その処理が終了すると（Ｓ２００９）Ａ経路になるようリレー１００２を切り換え（Ｓ２０１１）システム動作を停止する。
【００５９】
図７は本実施例のエラー処理の流れを示すフローチャートである。
【００６０】
まず、メインスイッチ１００１をＯＮして、装置に電源を供給する（Ｓ３００１）。このときＡＣドライバ１０００には経路Ａが接続されている。
【００６１】
制御回路１００４に電源１１００から必要なＤＣ電源が供給され、ＣＰＵ１００４ａが動作を開始する。その後ＡＣドライバ１０００内のリレー１００２はＣＰＵ１００４ａによって経路Ｂに切り換えられる（Ｓ３００２）。その後装置は動作可能状態になる（Ｓ３００３）。この状態はＡＣドライバ１０００内の電圧検知部１００５がメインスイッチがＯＦＦされていることを示すまで保持される（Ｓ３００４）。
【００６２】
電圧検知部がメインスイッチがＯＦＦされていることを示したときは、所定時間内に再びメインスイッチがＯＮされた場合は動作可能状態となり（Ｓ３００５）、ＯＦＦを示したまま、所定時間経過すると（Ｓ３００５）、ＣＰＵ１００４ａはＡＣドライバ１０００内のリレーを経路Ａに切り換える（Ｓ３００６）。電源１１００はＡＣ電源の供給が遮断された後、所定時間電源を保持できる。
【００６３】
この後ＣＰＵ１００４ａは電源が供給されなくなるまで（Ｓ３００７）リレーを切り換えてから所定時間カウントし（Ｓ３００８）、電源が落ちた場合は正常なシャットダウンとして終了し、所定時間経っても電源が落ちない場合は、リレーの故障と判断する（Ｓ３００９）。
【００６４】
図８は本実施例の第２のエラー処理方法を示すフローチャートである。まずメインスイッチ１００１をＯＮして、装置に電源を供給する（Ｓ４００１）。このときＡＣドライバ１０００には、経路Ａが接続されている。
【００６５】
制御回路１００４に電源１１００から必要なＤＣ電源が供給され、ＣＰＵ１００４ａが動作を開始する。ＣＰＵ１００４ａはＡＣドライバ内のリレー故障情報をＲＡＭ１００４ｃに記録しており、動作開始時にまずＲＡＭ１００４ｃを参照することで、前回に電源がＯＦＦされたときのリレーの状態を知る（Ｓ４００２）。本実施例では、リレーの故障情報がＲＡＭに記憶されていたときに、リレーがメインスイッチの前側に張り付いて故障していると判断する（Ｓ４００３）。ここにおいてＲＡＭのイニシャライズ時には故障情報は記録されない故障情報が記録されていない場合はＡＣドライバ内のリレーはＣＰＵ１００４ａによって、経路Ｂに切り換える（Ｓ４００４）。その後装置は動作可能状態になる（Ｓ４００５）。ＡＣドライバ内の電圧検知部がメインスイッチがＯＦＦされていることを示すまでこの状態を保持される。
【００６６】
電圧検知がメインスイッチがＯＦＦされていることを示しているときは（Ｓ４００６）、ＲＡＭ１００４ｃにリレー故障情報を記録する（Ｓ４００７）。Ｓ４００８でＣＰＵ１００４ａに電源が供給されていない場合は次回の装置立ち上げ時までリレー故障情報が残るので、次にメインスイッチをＯＮした後に（Ｓ４００１）、Ｓ４００２でリレーのメインスイッチ前側張り付きの故障として検知される。ＣＰＵに電源が供給されており（Ｓ４００８）、所定時間内に再びメインスイッチがＯＮされた場合は（Ｓ４００９）動作可能状態となり（Ｓ４００５）、ＯＦＦを示したまま所定時間を経過すると（Ｓ４００９）、ＣＰＵ１００４ａはＡＣドライバ内のリレーを経路Ａに切り換える（Ｓ４０１０）。電源１１００はＡＣ電源の供給が遮断された後、所定時間電源を保持できる。
【００６７】
この後ＣＰＵ１００４ａはＲＡＭ１００４ｃのリレーの故障情報をクリアし（Ｓ４０１１）、電源が落ちる（Ｓ４０４２）。電源が落ちた場合は正常なシャットダウンである。ＣＰＵ１００４ａはリレーを切り換えてからの時間をカウントし（Ｓ４０１３）、所定時間経っても電源が落ちない場合は、リレーの故障と判断する（Ｓ４０１５）。
【００６８】
（実施例２）
図９を用いて本発明の第２の実施例を説明する。ＳＷ１００１がＯＮされると制御部１００４は動作を開始する。制御部１００４ではＳＷ１００２をＡ経路に切換え（Ｓ５００１）、ＳＷ１００１がＯＮされていることを確認して（Ｓ５００２）Ｓ５００４へ進む。ＳＷ１００１がＯＮされていなければ（Ｓ５００２）、エラー処理を行う（Ｓ５００３）。Ｓ５００４では、システムの動作確認や安定させるための処理を含む初期化を行う。システムの動作確認が終るまではＳＷ１００２をＡ経路に保つ（Ｓ５００４〜Ｓ５００８）。動作確認時に異常が検出されたときは、強制的にＳＷ１００１を制御部１００４でＯＦＦする。この動作をスムーズに行うために初期化が終了するまでＡ経路に保っている。より詳細には、まず初期化処理を行い（Ｓ５００４）Ｂ経路になっていなければ（Ｓ５００５）動作確認の終了を確認して（Ｓ５００６）終了していなければ初期化処理を続け、終了していればＢ経路になるようリレー１００２を切り換え（Ｓ５００７）、初期化処理を続ける。初期化処理が終ると（Ｓ５００８）、通常の動作（システム処理）を行う（Ｓ５１００）。また、待機モード時の時間を設定するための操作の有無を調べ（Ｓ５１０１）、操作があったときには操作部６００より時間の設定を入力する（Ｓ５１０２）。
【００６９】
この通常の動作モードをＳＷ１００１がＯＦＦされるまで続ける（Ｓ５１０３）。ＳＷ１００１がＯＦＦされると、制御部１００４は待機モードに入る。待機モードはＳＷ１００１がＯＦＦされても一定時間、ＦＡＸなどの外部からの命令に対して対応するためのものである。このモードで外部からの命令を受けると（Ｓ５１０５）システム（Ｓ５１００）へ進みその命令に対する処理をその処理が終るまで続け、処理が終れば再び待機モードに入る。待機モードはＳＷ１００１ＯＦＦから設定時間が経過するまで続けられる（Ｓ５１０６）。時間が経過すればシステムを終了させるための処理を行い（Ｓ５１０７）、終了すれば（Ｓ５１０８）Ａ経路となるようＳＷ１００２を切り換え（Ｓ５１０９）動作を停止する。
【００７０】
（実施例３）
図１０に、第３の実施例における動作を示す。
【００７１】
メインスイッチ１００１をＯＮして、装置に電源を供給する（Ｓ６００１）。このときＡＣドライバ１０００は経路Ａに接続されている。
【００７２】
これによって制御回路１００４に電源１１００から必要なＤＣ電源が供給され、ＣＰＵ１００４ａが動作を開始する。ＣＰＵ１００４ａはＡＣドライバ内のリレーの最新の切り換え情報を常にＲＡＭ１００４ｃに記録しており、動作開始時にまずＲＡＭ１００４ｃに記憶されているリレー切り換え情報を参照することで）、前回に電源がＯＦＦされたときのリレーの状態を判断する（Ｓ６０１０）。ＣＰＵ１００４ａはリレーがメインスイッチ１００１の後ろ側に切り換えられている場合は、ＡＣドライバが正常に動作しているとし、前側に切り換えられている場合は、リレーが故障していると判断する（Ｓ６０１５）。次にＲＡＭ１００４ｃに電圧検知部の故障を検知したデータが記録されているかを判断し（Ｓ６０２０）、記録がある場合は、電圧検知部が故障していると判断する（Ｓ６０２５）。正常と判断した場合は、ＣＰＵ１００４ａはＡＣドライバ内の電圧検知部がメインスイッチがＯＮされていることを検知しているかどうかを確認し（Ｓ６０３０）、電圧検知がＯＮされている場合は正常であると判断し、ＯＦＦされている場合は、電圧検知部故障と判断する（Ｓ６０３５）。正常である場合は、動作可能状態にはいる（Ｓ６０４０）。所定時間をカウントした後、ＣＰＵ１００４ａはＡＣドライバ１０００内のリレーをメインスイッチ１００１の前側に切り換える（Ｓ６０４０）。
【００７３】
ここでＣＰＵ１００４ａは電圧検知部からの信号によりメインスイッチがＯＮ，ＯＦＦ状態のどちらになっているかを検知し（Ｓ６０５０）、ＯＦＦ状態の場合は前述の図８のＳ４００６にジャンプする（Ｓ６０５５）。ＯＮ状態の場合は、ＣＰＵ１００４ａは装置が使用されていない時間が所定時間経っているかどうかを判断し（Ｓ６０６０）所定時間経っていない場合はＳ６０４０にジャンプして動作可能状態を保持し、所定時間を越えたと判断した場合は、オートシャットＯＦＦ可能なメインスイッチ１００１をＯＦＦ側に切り換える（Ｓ６０７０）。次にＣＰＵ１００４ａは電圧検知がメインスイッチ１００１がＯＦＦ状態であることを示しているかを判断し（Ｓ６０８０）、ＯＦＦ状態を示している場合は前述の図８のＳ４００６にジャンプする。ＯＮ状態を示している場合は、ＣＰＵ１００４ａはＡＣドライバ内のリレーをメインスイッチの後ろ側に切り換える（Ｓ６０９０）。電源１１００はＡＣ電源の供給が遮断された後、所定時間電源を保持できる。ＣＰＵ１００４ａはＲＡＭ１００４ｃに電圧検知部の故障を記録し（Ｓ６１００）、リレーを切り換えてから所定時間以上経ったかどうかを確認し（Ｓ６１１０）、所定時間経っても電源が落ちない場合はＲＡＭ１００４ｃに記憶された電圧検知の故障のデータをクリアした後に、メインスイッチの故障を検知する（Ｓ６１１５）。所定時間内に電源が落ちた場合は次回立ち上げ時に電圧検知部の故障を検知する。
【００７４】
（実施例４）
図１１は本発明の第４の実施例を示し、１００１はＡＣ電源をＯＮ，ＯＦＦする第１の切り換え手段であるところのメインＳＷ、１００９は第１の切り換え手段であるところのメインＳＷの手前でＡＣ供給をＯＮ，ＯＦＦする第２の切り換え手段であるところのリレー、１００３は電圧検知部、１００４はメインＳＷ１００１およびリレー１００２の切り換えを制御するコントロール回路、１１００は電源である。１００７はドアスイッチである。
【００７５】
図１２のフローチャートを用いて図１１に示した電源部の動作の説明を行う。
【００７６】
メインスイッチ１００１がＯＮされる前はＡＣスイッチ１００２はオフ側に切り換わっている。メインスイッチ１００１がＯＮされる（Ｓ７００１）とＡＣスイッチ１００２は機械的に同期してＯＮされる（Ｓ７００２）。メインスイッチ１００１がＯＮされるとＡＣ電源が電源回路１１００に供給され、電圧検出部１００３はメインスイッチ１００１がＯＮされたことを示す信号を制御回路１００４に出力する。制御回路１００４は電源が供給されるとシステムの制御を開始する。
【００７７】
制御回路１００４では動作が開始されると、メインスイッチ１００１がオンされていることを確認する（Ｓ７００３）。ここでメインスイッチがオンされていることを確認できない場合は電圧検知部１００３もしくはメインスイッチ１００１の故障として、エラー処理を行う（Ｓ７００４）。メインスイッチ１００１がオンされていることを確認すればシステムの動作確認や安定させるための処理などのシステムの初期化を行う（Ｓ７００５）。初期化を終えると通常の動作モードに入る（Ｓ７００６）。このモードはメインスイッチ１００１がオフされるまで続けられる（Ｓ７００７）。メインスイッチ１００１がオフされると（このときＡＣスイッチ１００９はメインスイッチのオフのタイミングに同期してオフしない）システム終了の為の処理を行い（Ｓ７００８）その処理が終了するとＡＣスイッチ１００２をオフ側に切り換えシステムの動作を停止する（Ｓ７００９）。
【００７８】
（実施例５）
本実施例における電源部のハードウエア構成は、実施例４と共通である。
【００７９】
図１３は本発明の第５の実施例の動作を示すフローチャートである。
【００８０】
まず、メインスイッチ１００１をＯＮして、装置に電源を供給する。このときＡＣスイッチ１００２はメインスイッチと機械的に同期してオンする（Ｓ７００１）。
【００８１】
これによって制御回路１００４に電源１１００から必要なＤＣ電源が供給され、ＣＰＵ１００４ａが動作を開始する。ＣＰＵ１００４に電源が供給されない場合はＡＣスイッチの故障である（Ｓ８００２，Ｓ８００３）。
【００８２】
電源を供給されたＣＰＵ１００４ａは所定のイニシャライズを行い、装置はメインスイッチがオンしている間動作可能となる（Ｓ８００４）。この状態はＡＣドライバ内の電圧検知がメインスイッチがＯＦＦされていることを示すまで保持される。
【００８３】
メインスイッチがオフされると電圧検知部１００３は電圧検知のオフを示す信号をＣＰＵに送りＣＰＵはメインスイッチがオフされたことを認識する（Ｓ８００５）。
【００８４】
電圧検知がメインスイッチがＯＦＦされていることを示してから、所定時間以内に再び面スイッチがＯＮされた場合は再び動作可能となり、ＯＦＦを示したまま、所定時間経過するとＣＰＵ１００４ａはＡＣスイッチをオフする（Ｓ８００７）。これによって夜間等の長時間使用されない場合はＡＣ電源の供給を止めることができ、省エネルギー化できる。
【００８５】
ここで電源が落ちた場合は正常なシャットダウンである（Ｓ８００８）。所定時間経っても電源が落ちない場合は（Ｓ８００９）、ＡＣスイッチの故障と判断する（Ｓ８０１０）。
【００８６】
【発明の効果】
本発明によれば、上述した構成、すなわち、ＡＣ電源を手動でＯＮ、ＯＦＦするメインスイッチと、このメインスイッチの前後からのＡＣ供給を選択的に切り換えるサブスイッチ（第２の切り換え手段）を設け、さらに、このサブスイッチからのＡＣ供給を受けて、メインスイッチのＯＦＦ制御とサブスイッチの切り換え制御を行う制御手段が動作するようにした。また、メインスイッチ後のＡＣ供給状態を検出する状態検出手段を備えることおよびこの制御手段に、メインスイッチ、サブスイッチ、および状態検出手段の故障検出機能を含めたので、メインスイッチをＯＦＦ操作をした後においても、装置内部を冷却する冷却装置用の電源を遮断することができない装置や、ＦＡＸ付き複写機で受信待機が必要な装置をも、簡単な回路構成で省エネルギー化することができるとともに、これらの制御に関わる故障を検出することが可能になる。
【００８７】
また、メインスイッチ、サブスイッチ（第二の切り換え手段）、メインスイッチ後のＡＣ供給状態を検出する状態検出手段の故障を、それぞれ個別に検出することが可能になり、故障時に故障箇所を容易に特定することができる。
【００８８】
また、電源投入後に、その前の電源遮断時におけるサブスイッチ（第二の切り換え手段）の故障（動作不良）を知ることができる。
【図面の簡単な説明】
【図１】本発明の一実施例に係る画像形成装置の電源部のハードウエアブロック図である。
【図２】図２は従来技術説明に係る画像形成装置の電源部のハードウエアブロック図である。
【図３】本発明の画像形成装置の機械的構成の一例を示す断面構成図である。
【図４】本発明の画像形成装置の制御系の一例を示すハードウェアブロック図である。
【図５】本体１００に設けた操作部６００の配置構成例を示す模式図である。
【図６】本発明の実施例１における制御回路の動作を示すフローチャートである。
【図７】本発明の実施例１におけるエラー処理を示すフローチャートである。
【図８】本発明の実施例１における第２のエラー処理を示すフローチャートである。
【図９】本発明の第２の実施例における制御回路の動作を示すフローチャートである。
【図１０】本発明の第３の実施例における制御回路の動作を示すフローチャートである。
【図１１】本発明の第４の実施例の電源部のハードウエアブロック図である。
【図１２】本発明の画像形成装置の第４の実施例における制御回路の動作を示すブロック図である。
【図１３】本発明の第５の実施例における制御回路の動作を示すフローチャートである。
【符号の説明】
１００  複写装置本体
２００  原稿の自動給送を行う循環式自動原稿送り装置即ちフィーダー（ＲＤＦ）
２５０  仕分け装置即ちソータ
１０１  原稿載置台としての原稿台ガラス
１０２  画像読取り手段としての光学系
１０３  原稿照明ランプ（露光ランプ）
１４３  レンズ
１０４  モータ
１０５  感光体ドラム
１０６  １次帯電器
１０７  ブランク露光ユニット
１０８  電位センサ
１０９  現像器
１１０  転写帯電器
１１１  分離帯電器
１１２  クリーニング装置
１１３  メインモータ
１１４  上段カセット
１１５  下段カセット
１１６，１１７  ピックアップローラ
１１８，１１９  給紙ローラ
１２０  レジストローラ
１２１  搬送ベルト
１２２  定着器
１２３  排出ローラ
１２４  デッキ
１２５  リフタ
１２６  給紙ローラ
１２７  排紙フラッパ
１２８  下搬送パス
１２９  反転パス
１３０  再給紙トレイ
１３１  両面記録と多重記録の経路を切り替える多重フラッパ
１３２  給紙ローラ
１３３  給紙経路
１３４  排紙ローラ
１４０  第１の送りローラ
１４２  反転ローラ
６００  操作部
６０１  アスタリスク（＊）キー
６２７  カーソルキー
６２８  ＯＫキー
６０６  オールリセットキー
６０２  オールシャットオフ状態から標準モードに復帰させるときに押すキー
６０５  複写開始キー（コピースタートキー）
６０４  クリア／ストップキー
６０３  テンキー
６１９  メモリキー
６１１，６１２  複写濃度キー
６１３  ＡＥキー
６０７  コピー用紙選択キー
１５０  マルチ手差し
６１０  等倍キー
６１６  オート変倍キー
６２６  両面キー
６２５  綴じ代キー
６２４  写真キー
６２３  多重キー
６２０  原稿枠消しキー
６２１  シート枠消しキー
６２９  表紙モード設定キー
６３０  ページ連写キー
６１４  ステイプルソート、ソート、グループの排紙方法選択キー
６３１  予約キー
２１０  予約トレイ
６３２  予約設定キー
６３３  ガイドキー
７０１  複写に関する情報を表示するＬＣＤ（液晶）
６０３  テンキー
６０８，６０９  定形変倍キー
６１０  等倍キー
６１７，６１８  ズームキー
６０７  用紙選択キー
７０４  ＡＥ表示器
６１３  ＡＥキー
７０９  予熱表示器
１００４  制御回路（コントローラ）
１００４ａ  ＣＰＵ
１００４ｂ  ＲＯＭ
１００４ｃ  ＲＡＭ
３０２  サーミスタ
１４４  定着ローラ
３０３  高圧制御部
１０６  １次帯電器
１１０  転写帯電器
１０９  現像器
３０４  高圧ユニット
３０５  モータ制御部
３０６  モータ
３０７  ＤＣ負荷制御部
１１６  ピックアップローラ
３０８  転写紙の紙づまり検知用等のセンサー類
１０００  ＡＣドライバー
１１００  電源
１００２  第２の切り換え手段
１００３  メインＳＷの切り換え動作を検出する切り換え動作検出
１００５  制御系電源
１００６  精度を必要な電源とモータ電源
１００７  ドアスイッチ
【図１】
0003740182.tif 000002
【図２】
0003740182.tif 000003
【図３】
0003740182.tif 000004
【図４】
0003740182.tif 000005
【図５】
0003740182.tif 000006
【図６】
0003740182.tif 000007
【図７】
0003740182.tif 000008
【図８】
0003740182.tif 000009
【図９】
0003740182.tif 000010
【図１０】
0003740182.tif 000011
【図１１】
0003740182.tif 000012
【図１２】
0003740182.tif 000013
【図１３】
0003740182.tif 000014